【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク内のスケジューリングエンティティと1つまたは複数のスケジュールされたエンティティのセットとの間で通信する方法であって、
アップリンク制御チャネルについて、複数のアップリンククラスタのうちのアップリンククラスタの第1のセットを第1の仮想クラスタグループ(VCG)にマッピングするステップであって、前記複数のアップリンククラスタの各々が、複数のトーンのうちの1つまたは複数のそれぞれの隣接するトーンと、1つまたは複数のシンボルとを含み、各トーンが一度に単一のアップリンククラスタのみにマッピングされる、ステップと、
アップリンク制御情報を送信する際に使用するために、前記第1のVCGを前記1つまたは複数のスケジュールされたエンティティのセットのうちの第1のスケジュールされたエンティティに割り当てるステップと、
前記第1のVCGを識別する第1のVCGインデックスを前記第1のスケジュールされたエンティティに送信するステップと、
前記アップリンク制御チャネルを介して前記第1のVCG上で前記第1のスケジュールされたエンティティから前記アップリンク制御情報を受信するステップと
を含む方法。
【請求項２】
前記複数のアップリンククラスタのうちの前記アップリンククラスタの第1のセットを前記第1のVCGにマッピングするステップが、
シンボルの数を前記アップリンククラスタの各々に割り当てるステップであって、前記アップリンククラスタの第1のセット内の各アップリンククラスタにおける前記シンボルの数が同一である、ステップをさらに含む、請求項1に記載の方法。
【請求項３】
前記アップリンククラスタの第1のセット内の各アップリンククラスタにおける前記シンボルの数が1である、請求項2に記載の方法。
【請求項４】
前記アップリンククラスタの第1のセット内の各アップリンククラスタにおける前記シンボルの数が1よりも大きい、請求項2に記載の方法。
【請求項５】
前記アップリンククラスタの第1のセットのうちの少なくとも1つのアップリンククラスタに含まれる前記隣接するトーンが、前記シンボルの数における各シンボルによって異なる、請求項4に記載の方法。
【請求項６】
前記シンボルが、1つまたは複数のスロットにわたって時間的に非連続である、請求項2に記載の方法。
【請求項７】
前記1つまたは複数のスロットが、時間的に連続または非連続である、請求項6に記載の方法。
【請求項８】
前記アップリンク制御チャネルについて、前記複数のアップリンククラスタのうちの前記アップリンククラスタの第1のセットを前記第1のVCGにマッピングするステップが、
第1の帯域幅にわたる前記アップリンククラスタの第1のセットを前記第1のVCGにマッピングするステップであって、前記第1の帯域幅が、前記第1のスケジュールされたエンティティによってサポートされる第1のデバイス帯域幅に対応する、ステップをさらに含む、請求項1に記載の方法。
【請求項９】
前記アップリンク制御チャネルについて、前記第1の帯域幅にわたるアップリンククラスタの第2のセットを第2のVCGにマッピングするステップであって、前記第2のVCGが、第2のVCGインデックスによって識別され、前記アップリンククラスタの第1のセットおよび前記アップリンククラスタの第2のセット内の前記隣接するトーンが、重複していない、ステップと、
前記アップリンククラスタの第2のセットを前記1つまたは複数のスケジュールされたエンティティのセットのうちの第2のスケジュールされたエンティティに割り当てるステップと、
前記第2のVCGの前記第2のVCGインデックスを前記第2のスケジュールされたエンティティに送信するステップと
をさらに含み、
前記第1のVCGおよび前記第2のVCGが、前記第1の帯域幅に関連付けられた第1のVCGセット内に含まれる、
請求項8に記載の方法。
【請求項１０】
前記アップリンク制御チャネルについて、第2の帯域幅にわたるアップリンククラスタの第3のセットを第3のVCGにマッピングするステップであって、前記第3のVCGが、第3のVCGインデックスによって識別される、ステップと、
前記アップリンククラスタの第3のセットを前記1つまたは複数のスケジュールされたエンティティのセットのうちの第3のスケジュールされたエンティティに割り当てるステップであって、前記第2の帯域幅が、前記第3のスケジュールされたエンティティによってサポートされる第2のデバイス帯域幅に対応し、前記第1の帯域幅が、前記第2の帯域幅とは異なる、ステップと、
前記第3のVCGの前記第3のVCGインデックスを前記第3のスケジュールされたエンティティに送信するステップと
をさらに含み、
前記第3のVCGが、前記第2の帯域幅に関連付けられた第2のVCGセット内に含まれる、
請求項9に記載の方法。
【請求項１１】
前記アップリンククラスタの第1のセット、前記アップリンククラスタの第2のセットおよび前記アップリンククラスタの第3のセット内の前記隣接するトーンが重複していない、請求項10に記載の方法。
【請求項１２】
ワイヤレス通信ネットワークにおけるスケジューリングエンティティ装置であって、
アップリンク制御チャネルについて、複数のアップリンククラスタのうちのアップリンククラスタの第1のセットを第1の仮想クラスタグループ(VCG)にマッピングするための手段であって、前記複数のアップリンククラスタの各々が、複数のトーンのうちの1つまたは複数のそれぞれの隣接するトーンと、1つまたは複数のシンボルとを含み、各トーンが一度に単一のアップリンククラスタのみにマッピングされる、手段と、
アップリンク制御情報を送信する際に使用するために、前記第1のVCGを1つまたは複数のスケジュールされたエンティティのセットのうちの第1のスケジュールされたエンティティに割り当てるための手段と、
前記第1のVCGを識別する第1のVCGインデックスを前記第1のスケジュールされたエンティティに送信するための手段と、
前記アップリンク制御チャネルを介して前記第1のVCG上で前記第1のスケジュールされたエンティティから前記アップリンク制御情報を受信するための手段と
を備える、スケジューリングエンティティ装置。
【請求項１３】
ワイヤレス通信ネットワーク内のスケジュールされたエンティティにおけるワイヤレス通信の方法であって、
アップリンク制御情報を送信する際に使用するために、前記スケジュールされたエンティティに割り当てられる第1の仮想クラスタグループ(VCG)を識別するVCGインデックスを受信するステップと、
1つまたは複数のVCGインデックスと、複数のトーンのうちの対応する1つまたは複数のそれぞれの隣接するトーンと、1つまたは複数のシンボルとを含むテーブルにアクセスし、前記複数のトーンのうちの1つまたは複数のそれぞれの隣接するトーンと前記第1のVCGに割り当てられる1つまたは複数のシンボルとを決定するステップと、
アップリンク制御チャネルを介して前記第1のVCG上で前記アップリンク制御情報をスケジューリングエンティティに送信するステップと
を含む方法。
【請求項１４】
ワイヤレス通信ネットワーク内のスケジュールされたエンティティ装置であって、
アップリンク制御情報を送信する際に使用するために、前記スケジュールされたエンティティに割り当てられる第1の仮想クラスタグループ(VCG)を識別するVCGインデックスを受信するための手段と、
1つまたは複数のVCGインデックスと、複数のトーンのうちの対応する1つまたは複数のそれぞれの隣接するトーンと、1つまたは複数のシンボルとを含むテーブルにアクセスし、前記複数のトーンのうちの1つまたは複数のそれぞれの隣接するトーンと前記第1のVCGに割り当てられる1つまたは複数のシンボルとを決定するための手段と、
アップリンク制御チャネルを介して前記第1のVCG上で前記アップリンク制御情報をスケジューリングエンティティに送信するための手段とを備える、
スケジュールされたエンティティ装置。
【請求項１５】
実行時に、請求項１〜１１および１３のうちのいずれか一項に記載の方法を装置に実行させる命令を有するコンピュータプログラム。